(57)【特許請求の範囲】
【請求項１】
イベント会場に入場したユーザーに、イベントに関する情報を提供する情報提供システムであって、
前記イベントに関する情報を蓄積したデータベースを有するサーバーと、固有のＩＤデータを有し、前記ユーザーの所有する携帯機器と、インターネットを介して前記サーバーと通信可能であり、前記イベント会場の入場口に設置された入場ゲートと、前記イベント会場内および前記イベント会場外の双方に設置される印刷装置とを備え、
前記入場ゲートおよび前記サーバーの少なくともいずれか一方は、
前記携帯機器を所有した前記ユーザーが前記イベント会場に入場したことを認証する入場認証部を含み、
前記サーバーは、
前記携帯機器に固有の前記ＩＤデータを前記入場認証部による認証前に登録させるＩＤデータ登録部と、
前記ＩＤデータ登録部によって登録され、前記入場認証部により、前記ＩＤデータを有する前記携帯機器を所有した前記ユーザーが前記イベント会場に入場したことが認証されれば、前記ユーザーが前記イベント会場の内外にいるかに関わらず、前記ユーザーに対して、前記データベースに蓄積された情報のダウンロードを許可するダウンロード許可部とを含み、
前記印刷装置は、
前記印刷装置による印刷を要求するユーザーが、前記入場認証部により認証されたユーザーであると判断されれば、前記ダウンロード許可部により許可された前記情報の前記印刷装置へのダウンロードを実行する印刷装置ダウンロード実行部と、
前記印刷装置ダウンロード実行部によりダウンロードされた前記情報の印刷を行う印刷部とを含み、
前記入場ゲートは、前記携帯機器から前記ＩＤデータを読み取る入場ゲートＩＤデータ読み取り部を含み、
前記入場認証部は、前記入場ゲートＩＤデータ読み取り部により読み取られた前記ＩＤデータと、前記ＩＤデータ登録部により登録された前記ＩＤデータとが一致すると判断すれば、前記携帯機器を所有した前記ユーザーが前記イベント会場に入場したことを認証し、
前記印刷装置ダウンロード実行部は、前記印刷装置により印刷を要求するユーザーが、前記入場認証部により認証されたユーザーであると判断されなければ、前記データベースに蓄積された前記情報の前記印刷装置へのダウンロードを実行せずに処理を終了する、情報提供システム。
【請求項２】
前記携帯機器は、前記ＩＤデータを有するＩＣカードを含む、請求項１に記載の情報提供システム。
【請求項３】
前記携帯機器は、前記ＩＤデータを有し、情報を表示する表示部を含み、前記情報のダウンロードが可能な携帯端末装置であり、
前記携帯端末装置は、
前記入場認証部により、前記携帯端末装置を所有した前記ユーザーが前記イベント会場に入場したことが認証されれば、前記ダウンロード許可部により許可された前記情報の前記携帯端末装置へのダウンロードを実行する携帯端末装置ダウンロード実行部と、
前記携帯端末装置ダウンロード実行部によりダウンロードされた前記情報を前記表示部に表示するよう制御する表示制御部とを含む、請求項１に記載の情報提供システム。
【請求項４】
前記ダウンロード許可部によりダウンロードを許可される情報は、映像に関する情報を含み、
前記携帯端末装置は、前記携帯端末装置ダウンロード実行部により実行された前記映像に関する情報を視聴可能である、請求項３に記載の情報提供システム。
【請求項５】
前記データベースに蓄積される情報は、前記イベント会場で開催されるイベントに関する情報、および前記イベント会場で開催される試合に関する情報のうちの少なくともいずれか一つを含む、請求項１〜４のいずれか１項に記載の情報提供システム。
【請求項６】
前記サーバーは、前記データベースに蓄積された前記情報が更新されれば、その旨を報知する報知部を含む、請求項１〜５のいずれか１項に記載の情報提供システム。
【発明の詳細な説明】
【技術分野】
【０００１】
この発明は、情報提供システムに関するものである。
【背景技術】
【０００２】
スタジアムやコンサートホールといったイベントが開催されるイベント会場において、来場者や観戦者は、種々の情報を取得しようとする。来場者等は、この場合、例えば、自身の有するスマートフォンを利用して、インターネットを介して、インターネット上から得られる種々の情報を得ようとする。また、新聞や雑誌を購入し、情報を取得する場合もある。
【０００３】
ここで、情報を提供する情報提供システムに関する技術が、特開２００４−９４４３１号公報（特許文献１）、および特開２０１１−１４１７８４号公報（特許文献２）に開示されている。
【０００４】
特許文献１には、競技場等の施設の来場者に対する情報の提供を、来場者の携帯電話機を利用して配信する来場者への情報提供システムが開示されている。特許文献１に開示の情報提供システムによると、競技場等の施設の来場者に対して、携帯電話を用いて各種情報の配信サービスを提供できることとしている。
【０００５】
特許文献２に開示のコンテンツ提供装置は、イベント会場内に設置された無線ＬＡＮアクセスポイントを介して、来場者が携帯する端末装置からのアクセス要求を受け付けるアクセス要求受け付け部と、アクセス要求を受け付けると、無線ＬＡＮアクセスポイントを介して端末装置に、イベント会場内でかつイベント開催中に限定して閲覧またはダウンロード可能なコンテンツを提供することとしている。
【先行技術文献】
【特許文献】
【０００６】
【特許文献１】特開２００４−９４４３１号公報
【特許文献２】特開２０１１−１４１７８４号公報
【発明の概要】
【発明が解決しようとする課題】
【０００７】
イベント会場に足を運ぶ来場者は、現場での観戦時の臨場感といった醍醐味を求めているものである。さらに、このような来場者は、インターネットを介してウェブサイトから得られる一般的な情報のみならず、イベントを運営する運営者が発信するような最新の更新情報や専門的な情報をイベント会場内での場内放送よりも早く得たいものである。特に、イベントについては、時々刻々と状況や場面が変わるものであり、できるだけタイムリーに欲しい情報を得たいものである。また、イベント会場を運営する運営者についても、集客力の向上や来場者の満足度の向上を図るため、ウェブサイトにアップロードして誰でも取得できるような情報のみならず、来場者にのみ配信される限定された情報をいち早く更新して提供したいものである。
【０００８】
特許文献１に開示の技術では、単に携帯電話を用いて各種の情報の配信サービスを行っているだけであり、上記したようなニーズに対応することはできない。また、特許文献２に開示の技術では、競技場やイベント会場内で来場した来場者に情報を提供するのみであり、来場者が競技場を出た後では、情報を得ることができず、不便である。
【０００９】
この発明の目的は、よりユーザーの要求に応じた情報の提供を図ることができる情報提供システムを提供することである。
【課題を解決するための手段】
【００１０】
この発明の情報提供システムは、イベント会場に入場したユーザーに、イベントに関する情報を提供する。情報提供システムは、サーバーと、携帯機器と、入場ゲートと、印刷装置とを備える。サーバーは、イベントに関する情報を蓄積したデータベースを有する。携帯機器は、固有のＩＤデータを有し、ユーザーに所有される。入場ゲートは、インターネットを介してサーバーと通信可能であり、イベント会場の入場口に設置されている。印刷装置は、イベント会場内およびイベント会場外の双方に設置される。入場ゲートおよびサーバーの少なくともいずれか一方は、携帯機器を所有したユーザーがイベント会場に入場したことを認証する入場認証部を含む。サーバーは、ＩＤデータ登録部と、ダウンロード許可部とを含む。ＩＤデータ登録部は、携帯機器に固有のＩＤデータの登録を入場認証部による認証前に登録させる。ダウンロード許可部は、ＩＤデータ登録部によってＩＤデータが登録され、入場認証部により、ＩＤデータを有する携帯機器を所有したユーザーがイベント会場に入場したことが認証されれば、ユーザーがイベント会場の内外にいるかに関わらず、ユーザーに対して、データベースに蓄積された情報のダウンロードを許可する。印刷装置は、印刷装置ダウンロード実行部と、印刷部とを含む。印刷装置ダウンロード実行部は、印刷装置による印刷を要求するユーザーが、入場認証部により認証されたユーザーであると判断されれば、ダウンロード許可部により許可された情報の印刷装置へのダウンロードを実行する。印刷部は、印刷装置ダウンロード実行部によりダウンロードされた情報の印刷を行う。入場ゲートは、携帯機器からＩＤデータを読み取る入場ゲートＩＤデータ読み取り部を含む。入場認証部は、入場ゲートＩＤデータ読み取り部により読み取られたＩＤデータと、ＩＤデータ登録部により登録されたＩＤデータとが一致すると判断すれば、携帯機器を所有したユーザーがイベント会場に入場したことを認証する。印刷装置ダウンロード実行部は、印刷装置による印刷を要求するユーザーが、入場認証部により認証されたユーザーであると判断されなければ、データベースに蓄積された情報の印刷装置へのダウンロードを実行せずに処理を終了する。
【発明の効果】
【００１１】
このような情報提供システムによれば、予め登録されたＩＤデータを有する携帯機器を所有するユーザーのイベント会場への入場が認証されれば、データベースからの情報のダウンロードを許可する。そうすると、携帯機器を所有するユーザーが入場した際に、サーバーのデータベースから、要望する情報を取得することができる。この場合、イベント会場に滞在している時のみならず、イベント会場から立ち去った後も、サーバーのデータベースから要望する情報を取得することができる。したがって、来場者の望む情報をよりタイムリーに提供することができる。その結果、よりユーザーの要求に応じた情報の提供を図ることができる。
【図面の簡単な説明】
【００１２】
【図１】この発明の一実施形態に係る情報提供システムの構成を示す図である。
【図２】図１に示す情報提供システムの構成を示すブロック図である。
【図３】図１に示す情報提供システムを用いて情報提供を行う場合の処理の流れを示すフローチャートである。
【図４】ＩＣカードがイベント会場内の場合の情報提供システムの構成を示す図である。
【図５】ＩＣカードがイベント会場外の場合の情報提供システムの構成を示す図である。
【図６】この発明の他の実施形態に係る情報提供システムの構成を示す図である。
【図７】図６に示す情報提供システムの構成を示すブロック図である。
【図８】図６に示す情報提供システムを用いて情報提供を行う場合の処理の流れを示すフローチャートである。
【図９】携帯端末装置がイベント会場内の場合の情報提供システムの構成を示す図である。
【図１０】携帯端末装置がイベント会場外の場合の情報提供システムの構成を示す図である。
【発明を実施するための形態】
【００１３】
以下、この発明の実施の形態を説明する。図１は、この発明の一実施形態に係る情報提供システムの構成を示す図である。図２は、図１に示す情報提供システムの構成を示すブロック図である。なお、図２中の矢印は、制御信号や制御、情報に関するデータの流れを示している。
【００１４】
図１および図２を参照して、情報提供システム１１は、イベント会場１８に入場したユーザーに、イベントに関する情報を提供する。情報提供システム１１は、サーバー１２と、携帯機器としてのＩＣ（Ｉｎｔｅｇｒａｔｅｄ  Ｃｉｒｃｕｉｔ）カード１３と、入場ゲート１４と、第一の印刷装置１５と、第二の印刷装置１６とを備える。
【００１５】
まず、ＩＣカード１３について説明すると、ＩＣカード１３は、ユーザーによって携帯可能なサイズの大きさである。ＩＣカード１３には、ＩＣカード１３を特定するＩＤ（Ｉｄｅｎｔｉｆｉｃａｔｉｏｎ）データ１７が保持されている。すなわち、ＩＤデータ１７は、個々のＩＣカード１３によって固有である。ＩＤデータ１７は、電磁的に読み取り可能に構成されている。
【００１６】
入場ゲート１４は、イベント会場１８の入場口に設置されている。入場ゲート１４は、入場ゲートＩＤデータ読み取り部３１と、入場ゲートＩＤデータ送信部３２とを備える。入場ゲートＩＤデータ読み取り部３１は、ＩＣカード１３に固有のＩＤデータ１７を読み取る。この場合、入場ゲートＩＤデータ読み取り部３１は、ユーザーによって所定の箇所にＩＣカード１３を翳させることによりＩＤデータ１７を読み取ってもよいし、ユーザーが入場ゲート１４を通り抜ける際にユーザーによって携帯されるＩＣカード１３のＩＤデータ１７を読み取ることにしてもよい。入場ゲートＩＤデータ送信部３２は、入場ゲートＩＤデータ読み取り部３１により読み取られたＩＤデータ１７を、インターネット２０を介して、サーバー１２に送信する。
【００１７】
サーバー１２は、イベント会場１８の外に設けられている。このサーバー１２は、イベントを運営する運営者によって設置され、管理されている。サーバー１２は、データベース２５を備える。データベース２５には、イベントに関する種々のデータが蓄積されており、イベントの内容、経過状況に応じて、随時更新されている。すなわち、イベントについて、何か更新情報があったり、メンテナンスの必要性が生じたりした場合、運営者によってタイムリーに情報が更新される。なお、データベース２５に蓄積される情報は、イベント会場１８で開催されるイベントに関する情報、およびイベント会場１８で開催される試合に関する情報のうちの少なくともいずれか一つを含む構成である。
【００１８】
サーバー１２は、ＩＤデータ登録部２１と、ＩＤデータ受信部２２と、判断部２３と、ダウンロード許可部２４とを備える。ＩＤデータ登録部２１は、後述する入場認証部による認証前にＩＣカード１３に固有のＩＤデータ１７を登録させる。具体的には、ユーザーのイベント会場１８への入場前に、インターネット２０を経由して不図示のコンピューターから入力されたＩＣカード１３固有のＩＤデータ１７の入力を受け付けて登録させる。ＩＤデータ受信部２２は、インターネット２０を介して、入場ゲート１４側や、第一および第二の印刷装置１５、１６側から送信されるＩＤデータ１７を受信する。判断部２３は、ＩＤデータ受信部２２により受信されたＩＤデータ１７と、ＩＤデータ登録部２１により登録されたＩＤデータ１７とが一致するか否かを判断する。
【００１９】
なお、判断部２３は、入場ゲートＩＤデータ送信部３２によって送信され、ＩＤデータ受信部２２により受信されたＩＤデータ１７と、ＩＤデータ登録部２１により登録されたＩＤデータ１７とが一致するか否かを判断する。ここで、判断部２３は、入場ゲートＩＤデータ送信部３２によって送信され、ＩＤデータ受信部２２により受信されたＩＤデータ１７と、ＩＤデータ登録部２１により登録されたＩＤデータ１７とが一致すると判断すれば、ＩＣカード１３を所有したユーザーがイベント会場１８に入場したことを認証する入場認証部として作動する。ダウンロード許可部２４は、入場認証部により、ＩＣカード１３を所有したユーザーがイベント会場１８に入場したことが認証されれば、ユーザーがイベント会場１８の内外にいるかに関わらず、ユーザーに対して、データベース２５に蓄積された情報のダウンロードを許可する。なお、ダウンロード先としては、第一および第二の印刷装置１５、１６である。
【００２０】
第一の印刷装置１５は、イベント会場１８内に設けられている。具体的には、イベント会場１８内に設けられた売店の近傍に設けられている。第一の印刷装置１５は、インターネット２０に接続可能である。第一の印刷装置１５は、印刷装置ＩＤデータ読み取り部４１と、印刷装置ＩＤデータ送信部４２と、印刷装置ダウンロード実行部４３と、印刷部４４とを備える。印刷装置ＩＤデータ読み取り部４１は、ＩＣカード１３のＩＤデータ１７を読み取る。この場合も、上記した入場ゲートＩＤデータ読み取り部３１と同様に、ユーザーによって所定の箇所にＩＣカード１３を翳されることによりＩＤデータ１７を読み取ることにしてもよい。印刷装置ＩＤデータ送信部４２は、印刷装置ＩＤデータ読み取り部４１により読み取られたＩＤデータ１７を、インターネット２０を介してサーバー１２に送信する。印刷装置ダウンロード実行部４３は、判断部２３によりＩＤデータ１７が一致すると判断され、ダウンロード許可部２４によりデータベース２５に蓄積された情報のダウンロードが許可されれば、データベース２５からの第一の印刷装置１５への情報のダウンロードを実行する。印刷部４４は、印刷装置ダウンロード実行部４３によりダウンロードされた情報の印刷を行う。
【００２１】
第二の印刷装置１６は、イベント会場１８外に設けられている。具体的には、イベント会場１８外のあるコンビニエンスストア１９内に設けられている。第二の印刷装置１６についても、上記した第一の印刷装置１５と同様に、インターネット２０に接続可能である。また、第二の印刷装置１６は、第一の印刷装置１５と同様の構成であり、第二の印刷装置１６についても、印刷装置ＩＤデータ読み取り部５１と、印刷装置ＩＤデータ送信部５２と、印刷装置ダウンロード実行部５３と、印刷部５４とを備える。
【００２２】
次に、上記した構成の情報提供システム１１を用いて、情報提供を行う場合の処理の流れについて説明する。図３は、図１および図２に示す情報提供システム１１を用いて、情報提供を行う場合の処理の流れを示すフローチャートである。なお、この実施形態においては、イベント会場１８としてサッカーのスタジアムを想定し、イベントとして、サッカーの試合を行うものとする。また、ユーザーとしては、サッカーの試合を観戦する観客となる。
【００２３】
まず、ユーザーは、イベント会場１８に向かう前、例えば、自宅において、所有するＩＣカード１３のＩＤデータ１７の情報をサーバー１２に事前に登録する。具体的には、ユーザーが自己の所有する不図示のコンピューターからサーバー１２にインターネット２０経由で接続する。そして、インターネット２０を介して、コンピューターからサーバー１２に対し、ＩＣカード１３のＩＤデータ１７を、テンキー等を利用して入力して、登録を行う。なお、チケットの購入の際に、このような登録を行ってもよい。そうすると、ＩＤデータ登録部２１は、ＩＣカード１３のＩＤデータ１７の登録を受け付ける（図３において、ステップＳ１１、以下、「ステップ」を省略する）。
【００２４】
その後、ユーザーは、イベント会場１８であるサッカーのスタジアムに赴く。そして、入場ゲート１４を通過して、イベント会場１８内に来場する。ここで、入場ゲートＩＤデータ読み取り部３１は、ユーザーの所有するＩＣカード１３のＩＤデータ１７を読み取る（Ｓ１２）。なお、ここでは、入場ゲート１４は、ユーザーの入場ゲート１４の通過も検知する。そして、入場ゲートＩＤデータ送信部３２は、入場ゲートＩＤデータ読み取り部３１により読み取られたＩＤデータ１７を、インターネット２０を介して、サーバー１２へ送信する。
【００２５】
ＩＤデータ受信部２２は、入場ゲート１４からインターネット２０を介して送信されたＩＤデータ１７を受信する。そして、判断部２３は、入場ゲートＩＤデータ送信部３２によって送信され、ＩＤデータ受信部２２により受信されたＩＤデータ１７と、ＩＤデータ登録部２１により登録されたＩＤデータ１７とが一致するか否かを判断する（Ｓ１３）。一致すると判断されれば、いわゆる認証成功となる。すなわち、ユーザーは、入場認証部により、イベント会場１８に来場していると認証される（Ｓ１４において、ＹＥＳ）。入場認証部により、ＩＣカード１３を所有したユーザーがイベント会場１８に入場したことが認証されれば、ダウンロード許可部２４は、ユーザーがイベント会場１８の内外にいるかに関わらず、ユーザーに対して、データベース２５に蓄積された情報のダウンロードを許可する（Ｓ１５）。なお、入場が認証されなかった場合（Ｓ１４において、ＮＯ）には、情報提供に関する処理を終了する（Ｓ１９）。
【００２６】
次に、イベント会場１８内において、ユーザーが、データベース２５に蓄積された情報のダウンロードを行う場合について説明する。来場後、ユーザーは、試合前、または試合中において、データベース２５に蓄積されている情報の中から、要望する情報を取得しようとする。イベント会場１８内でユーザーの要望する情報としては、例えば、応援するサッカーチームおよびサッカーチームに属する選手の過去の公式記録に関する情報、試合のメンバー表に関する情報、および試合経過に関する情報がある。
【００２７】
図４は、この場合の情報提供システム１１の構成を示す図である。図４を参照して、ユーザーは、情報を印刷物により取得するために、ＩＣカード１３を携帯して、イベント会場１８内において、第一の印刷装置１５が設置されている場所に赴く。
【００２８】
ここで、第一の印刷装置１５は、ユーザーの所有するＩＣカード１３が、入場が認証されたＩＣカード１３か否かを認証する（Ｓ１６）。具体的には、印刷装置ＩＣカード読み取り部４１により、ＩＣカード１３を読み取る。そして、印刷装置ＩＤデータ送信部４２は、印刷装置ＩＤデータ読み取り部４１により読み取られたＩＤデータ１７を、インターネット２０を介してサーバー１２に送信する。ＩＤデータ受信部２２は、送信されたＩＤデータ１７を受信する。その後、判断部２３により、ＩＤデータ受信部２２によって受信されたＩＤデータ１７と、ＩＤデータ登録部２１により登録されたＩＤデータ１７とが一致するか否かを判断する。一致すると判断されれば、いわゆる認証成功となる。すなわち、ＩＤデータ１７が読み取られたＩＣカード１３が、イベント会場１８に来場しているユーザーの所有するＩＣカード１３であると認証される（Ｓ１６において、ＹＥＳ）。
【００２９】
認証されれば、印刷装置ダウンロード実行部４３は、データベース２５からの情報のダウンロードを実行する（Ｓ１７）。その後、印刷部４４は、印刷装置ダウンロード実行部４３によりダウンロードされた情報の印刷を行う（Ｓ１８）。
【００３０】
このようにして、ユーザーは、第一の印刷装置１５により印刷された印刷物を得る。すなわち、ユーザーの要望する情報が印刷された印刷物を、イベント会場１８内において、ユーザーは印刷物として取得することができる。
【００３１】
なお、判断部２３により、一致すると判断されなければ、認証は失敗し（Ｓ１６において、ＮＯ）、処理を終了する（Ｓ１９）。この場合、情報は第一の印刷装置１５にダウンロードされず、ユーザーは、情報を取得できないこととなる。このとき、認証が失敗して情報がダウンロードできない旨を、第一の印刷装置１５に備えられる表示画面により表示するようにしてもよい。
【００３２】
次に、イベント会場１８外において、ユーザーが、データベース２５に蓄積された情報のダウンロードを行う場合について説明する。イベント会場１８においてサッカーの試合が終了すると、ユーザーは、イベント会場１８を出て、帰宅の途に就く。そこで、ユーザーは、データベース２５に蓄積された情報の取得を要望する。イベント会場１８外でユーザーの要望する情報としては、例えば、終わった試合に関するサッカー選手の公式記録に関する情報、および試合の途中で帰宅せざるを得なかった場合には、試合速報に関する情報がある。このような情報は、運営側によって随時更新されている。そして、試合終了後の試合関係の役員が、署名済みの公式記録とするため、多少の時間を要するものである。多少の時間とは、試合の次の日までとはいかなくとも、試合終了後、数時間程度である。なお、一般的なウェブサイトには、次の日に掲載されるような情報である。
【００３３】
図５は、この場合の情報提供システム１１の構成を示す図である。図５を参照して、ユーザーは、イベント会場１８外であるコンビニエンスストア１９内の第二の印刷装置１６が設置されている場所に赴く。そして、試合後において、データベース２５に蓄積されている情報のデータの中から、要望する情報の印刷を要求する。なお、コンビニエンスストア１９内に設置されている第二の印刷装置１６においては、イベントに赴いた人以外の一般人も使用できる環境にあるため、要望する情報の印刷の際に、第二の印刷装置１６に対して所定の操作を行うよう要求する構成としてもよい。
【００３４】
具体的には、再びＳ１６に戻って、第二の印刷装置１６は、ユーザーの所有するＩＣカード１３が、入場が認証されたＩＣカード１３か否かを認証する（Ｓ１６）。具体的には、印刷装置ＩＣカード読み取り部５１により、ＩＣカード１３を読み取る。そして、印刷装置ＩＤデータ送信部５２は、印刷装置ＩＤデータ読み取り部５１により読み取られたＩＤデータ１７を、インターネット２０を介してサーバー１２に送信する。ＩＤデータ受信部２２は、送信されたＩＤデータ１７を受信する。その後、判断部２３により、ＩＤデータ受信部２２によって受信されたＩＤデータ１７と、ＩＤデータ登録部２１により登録されたＩＤデータ１７とが一致するか否かを判断する。一致すると判断されれば、いわゆる認証成功となる。すなわち、ＩＤデータ１７が読み取られたＩＣカード１３が、イベント会場１８に来場しているユーザーの所有するＩＣカード１３であると認証される（Ｓ１６において、ＹＥＳ）。
【００３５】
認証されれば、印刷装置ダウンロード実行部５３は、データベース２５からの情報のダウンロードを実行する（Ｓ１７）。その後、印刷部５４は、印刷装置ダウンロード実行部５３によりダウンロードされた情報の印刷を行う（Ｓ１８）。
【００３６】
なお、入場が認証されたＩＣカード１３でなかった場合（Ｓ１６において、ＮＯ）には、情報のダウンロードを実行せずに処理を終了する（Ｓ１９）。
【００３７】
このようにしてユーザーは、第二の印刷装置１６により印刷された印刷物を得る。すなわち、ユーザーの要望する情報が印刷された印刷物を、イベント会場１８外、例えば、帰宅途中に立ち寄ったコンビニエンスストア１９において、ユーザーは印刷物として取得することができる。
【００３８】
このような情報提供システム１１によれば、予め登録されたＩＤデータ１７を有するＩＣカード１３を所有するユーザーのイベント会場１８への入場が認証されれば、データベース２５からの情報のダウンロードを許可する。そうすると、ＩＣカード１３を所有するユーザーが入場した際に、サーバー１２のデータベース２５から、要望する情報を取得することができる。この場合、イベント会場１８に滞在している時のみならず、イベント会場１８から立ち去った後も、サーバー１２のデータベース２５から要望する情報を取得することができる。したがって、来場者の望む情報をよりタイムリーに提供することができる。その結果、よりユーザーの要求に応じた情報の提供を図ることができる。
【００３９】
この場合、イベント会場１８の中に設置される第一の印刷装置１５は、売店の近傍に設置されているため、売店における購買意欲の促進を図ることができる。また、第二の印刷装置１６は、コンビニエンスストア１９内に設置されているため、印刷時に立ち寄るコンビニエンスストア１９における購買意欲の促進を図ることができる。
【００４０】
また、この場合、第一の印刷装置１５および第二の印刷装置１６によって要望する情報を印刷物として印刷することとしているため、例えば、イベント会場１８の内外において、紙ベースで情報を読んだり、書き込んだりすることができる。
【００４１】
なお、上記の実施の形態において、ユーザーの所有する携帯機器として、ＩＣカード１３を用いることとしたが、これに限らず、ユーザーの所有する携帯機器として、携帯端末装置を用いることとしてもよい。すなわち、携帯機器は、ＩＤデータ１７を有し、情報を表示する表示部を含み、情報のダウンロードが可能な携帯端末装置であってもよい。また、第一の印刷装置１５および第二の印刷装置１６により、ダウンロードした情報を印刷することとしたが、これに限らず、ユーザーの所有する携帯端末装置に直接、情報をダウンロードするようにしてもよい。すなわち、携帯端末装置は、入場認証部により、携帯端末装置を所有したユーザーがイベント会場１８に入場したことが認証されれば、ダウンロード許可部２４により許可された情報の携帯端末装置へのダウンロードを実行する携帯端末装置ダウンロード実行部と、携帯端末装置ダウンロード実行部によりダウンロードされた情報の表示部による表示を行うよう制御する表示制御部とを含むよう構成してもよい。
【００４２】
図６は、この場合の情報提供システム６１の構成を示す図である。図７は、図６に示す情報提供システムの構成を示すブロック図である。なお、図１および図２に示す情報提供システム１１と同様の構成については、同一の符号を付して、それらの説明を省略する。
【００４３】
図６および図７を参照して、情報提供システム６１は、サーバー１２と、ユーザーが所有する携帯機器としての携帯端末装置６２と、入場ゲート１４とを備える。携帯端末装置６２は、携帯端末装置６２に固有のＩＤデータ６３を有する。携帯端末装置６２は、それ自身で情報のダウンロードが可能であり、また、ダウンロードした情報を表示する表示部６４を備える。
【００４４】
また、携帯端末装置６２は、携帯端末装置ＩＤデータ送信部６５と、携帯端末装置ダウンロード実行部６６と、表示制御部６７とを備える。携帯端末装置ＩＤデータ送信部６５は、自らのＩＤデータ６３をサーバー１２へ送信する。携帯端末装置ダウンロード実行部６６は、判断部２３によりＩＤデータ６３が一致すると判断され、ダウンロード許可部２４によりデータベース２５に蓄積された情報のダウンロードが許可されれば、データベース２５からの情報のダウンロードを実行する。すなわち、携帯端末装置ダウンロード実行部６６は、入場認証部により、携帯端末装置６２を所有したユーザーがイベント会場１８に入場したことが認証されれば、ダウンロード許可部２４により許可された情報の携帯端末装置６２へのダウンロードを実行する。表示制御部６７は、ダウンロードされた情報について、表示部６４へ表示するよう制御する。
【００４５】
次に、上記した構成の情報提供システム６１を用いて、情報提供を行う場合の処理の流れについて説明する。図８は、図６および図７に示す情報提供システム６１を用いて、情報提供を行う場合の処理の流れを示すフローチャートである。
【００４６】
図８を参照して、ユーザーによる事前のＩＤデータ６３の登録（Ｓ２１）、および入場ゲート１４におけるユーザーの入場の認証（Ｓ２４）等、Ｓ２１〜Ｓ２５については、上記した図３に示すＳ１１〜Ｓ１５の場合と同様であるので、それらの説明を省略する。
【００４７】
来場後、ユーザーは、試合前、または試合中において、データベース２５に蓄積されている情報の中から、自らが要望する情報を取得しようとする。
【００４８】
図９は、この場合の情報提供システム６１の構成を示す図である。図９を参照して、ユーザーは、情報を取得するために、携帯端末装置ＩＤデータ送信部６５により、ＩＤデータ６３をサーバー１２へ送信する。判断部２３は、ＩＤデータ受信部２２により受信されたＩＤデータ６３と、ＩＤデータ登録部２１により登録されたＩＤデータ６３とが一致するか否かを判断する。一致すると判断されれば、いわゆる認証成功となる。すなわち、入場認証部により、携帯端末装置６２を所有するユーザーは、イベント会場１８に来場していると認証される。そして、入場が認証された携帯端末装置６２からの情報のダウンロードの要求であると認証される（Ｓ２６において、ＹＥＳ）。
【００４９】
認証されれば、ダウンロード許可部２４により許可されているため、印刷装置ダウンロード実行部４３は、データベース２５からの情報のダウンロードを実行する（Ｓ２７）。その後、表示制御部６７は、表示部６４にダウンロードされた情報を表示するよう制御する（Ｓ２８）。
【００５０】
次に、イベント会場１８においてサッカーの試合が終了すると、ユーザーは、イベント会場１８を出て、帰宅の途に就く。そこで、ユーザーは、データベース２５に蓄積された情報の取得を要望する。
【００５１】
図１０は、この場合の情報提供システム６１の構成を示す図である。図１０を参照して、ユーザーは、イベント会場１８外に出てから、携帯端末装置ＩＤデータ送信部６５により、ＩＤデータ６３を、インターネット２０を介してサーバー１２に送信する。携帯端末装置ダウンロード実行部６６は、サーバー１２において、判断部２３によりＩＤデータ６３が一致すると判断され、ダウンロード許可部２４によりデータベース２５に蓄積された情報のダウンロードが許可されれば、データベース２５からの情報のダウンロードを実行する（Ｓ２７）。表示制御部６７は、表示部６４にダウンロードされた情報の表示を行うよう制御する（Ｓ２８）。
【００５２】
このようにしてユーザーは、携帯端末装置６２にダウンロードされ、表示部６４に表示された情報を取得する。すなわち、ユーザーの要望する情報を、イベント会場１８外、例えば、帰宅途中において、ユーザーは携帯端末装置６２の表示部６４から取得することができる。
【００５３】
なお、入場が認証された携帯端末装置６２からの情報のダウンロードの要求でなかった場合（Ｓ２６において、ＮＯ）には、情報のダウンロードを実行せずに処理を終了する。
【００５４】
このような情報提供システム６１によっても、よりユーザーの要求に応じた情報の提供を図ることができる。
【００５５】
なお、上記の実施の形態においては、携帯端末装置６２と第一の印刷装置１５および第二の印刷装置１６とを備える構成としてもよい。
【００５６】
また、上記の実施の形態においては、第一または第二の印刷装置１５、１６のいずれか一方を備える構成としてもよい。
【００５７】
なお、上記の実施の形態において、ＩＤデータ登録部２１におけるＩＤデータの登録を行う際に、ＩＤデータに紐付けて、ダウンロード、すなわち、配信を希望する情報の種類や配信先を登録しておいてもよい。
【００５８】
また、上記の実施の形態において、印刷部４４、５４による印刷を行う際に、割引クーポンを同時に印刷するようにしてもよい。例えば、第一の印刷装置１５においては、近傍の売店における商品の割引クーポン、第二の印刷装置１６においては、設置されたコンビニエンスストア１９の商品の割引クーポンといった具合である。こうすることにより、このような情報提供システム１１、６１の利用率を高めることができる。
【００５９】
なお、上記の実施の形態において、データベース２５における情報の更新があった場合には、その旨を携帯端末装置６２等に送信することにしてもよい。すなわち、サーバー１２は、データベース２５に蓄積された情報が更新されれば、その旨を報知する報知部を含む構成とする。こうすることにより、よりタイムリーにユーザーに情報を提供することができる。
【００６０】
また、上記の実施の形態において、ダウンロード許可部２４によりダウンロードを許可される情報は、映像に関する情報を含み、携帯端末装置６２は、携帯端末装置ダウンロード実行部６６により実行された映像に関する情報を視聴可能であるよう構成してもよい。こうすることにより、よりユーザーのニーズに沿った情報の提供を行うことができる。
【００６１】
なお、上記の実施の形態においては、サーバー１２は、携帯機器を所有したユーザーがイベント会場１８に入場したことを認証する入場認証部を構成する判断部２３等を含むこととしたが、これに限らず、入場ゲート１４が、携帯機器を所有したユーザーがイベント会場１８に入場したことを認証する入場認証部を含むよう構成してもよい。また、イベント会場１８へ入場したユーザーのみに対して、特有の情報、例えば、次回の割引券情報や選手情報、その他の一連の情報を提供する構成としてもよい。
【００６２】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００６３】
この発明に係る情報提供システムは、よりユーザーの利便性の向上が要求される場合に、特に有効に利用される。
【符号の説明】
【００６４】
１１，６１  情報提供システム、１２  サーバー、１３  ＩＣカード、１４  入場ゲート、１５，１６  印刷装置、１７，６３  ＩＤデータ、１８  イベント会場、１９  コンビニエンスストア、２０  インターネット、２１  ＩＤデータ登録部、２２  ＩＤデータ受信部、２３  判断部、２４  ダウンロード許可部、２５  データベース、３１  入場ゲートＩＤデータ読み取り部、３２  入場ゲートＩＤデータ送信部、４１，５１  印刷装置ＩＤデータ読み取り部、４２，５２  印刷装置ＩＤデータ送信部、４３，５３  印刷装置ダウンロード実行部、４４，５４  印刷部、６２  携帯端末装置、６４  表示部、６５  携帯端末装置ＩＤデータ送信部、６６  携帯端末装置ダウンロード実行部、６７  表示制御部。
【図１】
0006536451.tif 000002
【図２】
0006536451.tif 000003
【図３】
0006536451.tif 000004
【図４】
0006536451.tif 000005
【図５】
0006536451.tif 000006
【図６】
0006536451.tif 000007
【図７】
0006536451.tif 000008
【図８】
0006536451.tif 000009
【図９】
0006536451.tif 000010
【図１０】
0006536451.tif 000011